(57)【要約】      （修正有）【課題】変圧器内部の部材間の安全距離を向上させる粘着テープを提供する。【解決手段】基材及び基材表面に塗布された粘着層を含む、変圧器に用いる粘着テープに関する。該基材は第１辺縁、第２辺縁、第３辺縁及び第４辺縁を含む周縁部を含み、該第１辺縁と該第２辺縁は互いに相対し、且つ円弧状を呈している。粘着テープ２７は、銅線コイル２３に沿っており、銅線コイル２３の端部の角部の外表面に折り曲げて貼付されている。円柱形を呈する銅線コイル２３と変圧器台座の接続部に対して、円弧状の辺縁を有する粘着テープ２７が、その外輪郭を十分に貼り合わせることができる。周知の構造に比べて、本粘着テープ２７を折り曲げて貼付すると、銅線コイル２３と鉄芯２５の間の安全距離Ｄ２は約４．５ｍｍ〜５ｍｍ前後に達することができ、変圧器２０の構造を変更しない前提の下で、内部の部材間の安全距離を大幅に向上させることができる。【選択図】図２
0003150478.tif 000002
【実用新案登録請求の範囲】
【請求項１】
基材及び粘着層を含む、変圧器に用いる粘着テープであって、該粘着層が該基材の表面上に塗布されており、該基材が周縁部を含み、該周縁部が第１辺縁、第２辺縁、第３辺縁及び第４辺縁を含む、粘着テープにおいて、
該第１辺縁と該第２辺縁が互いに相対し、且つ円弧状を呈し、該第３辺縁と該第４辺縁が互いに相対し、且つそれぞれ該第１辺縁及び該第２辺縁に接続されていることを特徴とする、
粘着テープ。
【請求項２】
該円弧状の第１辺縁及び該円弧状の第２辺縁が共通の曲率中心を有する、請求項１に記載の粘着テープ。
【請求項３】
該第３辺縁及び該第４辺縁が直線を呈し、且つ該第１辺縁及び該第２辺縁の端部にそれぞれ接続されている、請求項２に記載の粘着テープ。
【請求項４】
該第３辺縁及び該第４辺縁が第１辺縁及び第２辺縁の該曲率中心に向かっている、請求項３に記載の粘着テープ。
【請求項５】
該基材が可撓性である、請求項４に記載の粘着テープ。
【請求項６】
該変圧器が銅線コイルを含み、該粘着テープが該銅線コイルに沿っており、該銅線コイルの端部の角部に折り曲げて貼付されている、請求項５に記載の粘着テープ。
【請求項７】
該変圧器が更に、該銅線コイルに貼付されていると共に該粘着テープと局部的に貼り合わせられているカバー層を含む、請求項６に記載の粘着テープ。
【考案の詳細な説明】
【技術分野】
【０００１】
本考案は、変圧器に用いる粘着テープに関し、特に変圧器内部の部材間の安全距離を向上させることができる粘着テープに関する。
【背景技術】
【０００２】
電子技術の発展に伴い、変圧器は、通信電源、携帯電話基地局、直流変換器等、各種分野に広範に応用されており、且つ製造工程の進歩により、変圧器は、体積はより小さく、効率はより高い方向へ発展してきている。
【０００３】
図１に示したように、周知の変圧器１０は通常、変圧器フレーム１１、銅線コイル１３及び鉄芯（ｃｏｒｅ）１５を含んで構成されている。一般的な変圧器はいずれも安全距離が要求され、現行の設計においては、変圧器１０内部の部材間の安全距離の要求を満たすために、変圧器１０の特定の位置に粘着テープ１７を貼付する必要がある。例を挙げると、銅線コイル１３の端部に絶縁粘着テープ（margin tape）１８を貼付することができる。
【０００４】
しかし、変圧器１０の基本構造は変更しないと言う前提を考慮すると、絶縁粘着テープ１８を用いることによる空間の制限が、変圧器フレーム１１内部の銅線コイル１３を配置できる巻線空間を狭くして影響を与え、別の欠点をもたらすことになる。そこで一部の周知の変圧器１０は、銅線コイル１３の端部の角部に、反対に折った粘着テープ１７を貼付する方式で代替し、設計上の要求を満たしている。
【０００５】
しかし、従来の設計において、反対に折った粘着テープ１７は通常、普通の細長い形状の粘着テープを使用しているに過ぎず、このような設計では周知の変圧器１０内部の安全距離が不足するという事態を引き起こす可能性がある。図１に示したように、銅線コイル１３と鉄芯１５の間の安全距離Ｄ１は約０．５ｍｍ〜１ｍｍ前後しかなく、変圧器１０が安全距離不足の危険にさらされることになる。また、更に人手による作業の誤差または作業の不注意で粘着テープ１７が重なってしまう等の現象を考慮に入れると、安全距離Ｄ１は更に小さくなる可能性があり、更に変圧器１０の品質不良を招くことになる。
【考案の概要】
【考案が解決しようとする課題】
【０００６】
本考案はこれらのことを鑑み、変圧器内部の部材間の安全距離を向上できる粘着テープを提供し、当業界の問題を早期に解決しようとするものである。
【課題を解決するための手段】
【０００７】
本考案の目的は、変圧器に用いる粘着テープを提供することにあり、この特殊な構造により、変圧器内に反対に折って貼付し、変圧器内部の部材の安全距離を有効に向上させることができ、且つ変圧器の巻線空間に影響しないと言う前提の下で、変圧器の品質を向上させるものである。本考案のもう一つの目的は、該粘着テープを採用した変圧器を提供することにある。
【０００８】
前記目的を達成するために、本考案が提供する変圧器に用いる粘着テープは、基材及び粘着層を含み、粘着層は該基材の表面上に塗布され、該基材は周縁部を含み、該周縁部は第１辺縁、第２辺縁、第３辺縁及び第４辺縁を含み、該粘着テープは、該第１辺縁と該第２辺縁が互いに相対し、且つ円弧状を呈し、該第３辺縁と該第４辺縁が互いに相対し、且つそれぞれ該第１辺縁及び該第２辺縁に接続されていることを特徴とする。
【図面の簡単な説明】
【０００９】
【図１】周知の変圧器及びその粘着テープの見取図である。
【図２】本考案の変圧器の見取図である。
【図３】本考案の粘着テープの見取図である。
【図４】本考案の変圧器の銅線コイルにカバー層を貼付した見取図である。
【考案を実施するための形態】
【００１０】
前記目的、技術特徴及び利点を更に明確且つわかりやすくするために、下記に好ましい実施例を示し添付する図面と併せて詳細に説明する。
【００１１】
下記の図面と併せて具体的な実施方法について説明を行う。
【００１２】
図２に本考案の変圧器２０の見取図を示すが、先行技術と同様に、変圧器２０は、主に変圧器フレーム２１、銅線コイル２３、及び鉄芯２５から構成されている。本考案の変圧器２０は、銅線コイル２３の端部の角部に反対に折った粘着テープ２７が貼付されていることを特徴とする。
【００１３】
本考案の粘着テープ２７について更に図３を参照されたい。粘着テープ２７は基材を含み、基材は可撓性の材質から成り、該基材の表面上には接着剤等の粘着層が塗布されている。該基材は、第１辺縁２７１、第２辺縁２７２、第３辺縁２７３及び第４辺縁２７４を含む周縁部を含み、粘着テープ２７は、第１辺縁２７１と第２辺縁２７２が互いに相対し、且つ円弧状を呈し、第３辺縁２７３と第４辺縁２７４が互いに相対し、且つそれぞれ第１辺縁２７１及び第２辺縁２７２に接続されていることを特徴とする。
【００１４】
本実施例において、円弧状の第１辺縁２７１及び第２辺縁２７２は共通の曲率中心を有し、第３辺縁２７３及び第４辺縁２７４は直線を呈し、それぞれ第１辺縁２７１及び第２辺縁２７２の端部に接続されており、且つ第１辺縁２７１及び第２辺縁２７２の該曲率中心に向かっている。
【００１５】
図２及び図３を共に参照されたい。粘着テープ２７は、銅線コイル２３に沿っており、銅線コイル２３の端部の角部の外表面に折り曲げて貼付されている。円柱形を呈する銅線コイル２３と変圧器台座の接続部に対して、円弧状の辺縁を有する粘着テープ２７が、その外輪郭を十分に貼り合わせることができる。周知の構造に比べて、本考案の粘着テープ２７を折り曲げて貼付すると、銅線コイル２３と鉄芯２５の間の安全距離Ｄ２は約４．５ｍｍ〜５ｍｍ前後に達することができ、変圧器２０の構造を変更しないと言う前提の下で、内部の部材間の安全距離を大幅に向上させることができる。
【００１６】
図４に本考案のもう一つの実施例を示すが、変圧器２０は更にカバー層２９（例えば１ＴＳ又は１ＴＳ以上の粘着テープ）を含み、これは該銅線コイル２３の外表面に貼付されており、且つ粘着テープ２７と局部的に貼り合わせて、さらなる密封効果も達成することができる。
【００１７】
以上の開示により、本考案の粘着テープの構造は、変圧器内部の円形外輪郭に対して、粘着テープに円弧状の設計を採用し、変圧器内部のコイル空間に影響しないと言う前提の下で、粘着テープが皺になって重なることが起こりにくく、十分に貼り合わせることができ、変圧器の安全距離を向上でき、変圧器の製品品質を大幅に向上させるものである。
【００１８】
上述の実施例は本考案の実施形態の例を挙げ、本考案の技術的特徴を説明したものに過ぎず、本考案の保護範囲を限定するものではない。当該技術を熟知する当業者が容易に完成できる改変又は均等性構成はいずれも本考案の主張する範囲に属するものであり、本考案の権利保護範囲は実用新案登録請求の範囲を基準とする。
【符号の説明】
【００１９】
１０  変圧器
１１  変圧器フレーム
１３  銅線コイル
１５  鉄芯
１７  粘着テープ
１８  絶縁粘着テープ
２０  変圧器
２１  変圧器フレーム
２３  銅線コイル
２５  鉄芯
２７  粘着テープ
２９  カバー層
２７１  第１辺縁
２７２  第２辺縁
２７３  第３辺縁
２７４  第４辺縁
Ｄ１  安全距離
Ｄ２  安全距離
【図１】
0003150478.tif 000003
【図２】
0003150478.tif 000004
【図３】
0003150478.tif 000005
【図４】
0003150478.tif 000006